(57)【特許請求の範囲】
【請求項１】
印刷可能な基材上に設けられる印刷セキュリティフィーチャ（１；１＊；１＊＊；１＊＊＊）であって、前記印刷セキュリティフィーチャ（１；１＊；１＊＊；１＊＊＊）は、所定の空間周波数で印刷された複数の隣接する直線要素及び／又は曲線要素（１１０、１２０；２１０、２２０；３１０、３２０；４１０、４２０）から構成された印刷範囲（１００；２００；３００；４００）を含み、
前記直線要素及び／又は曲線要素（１１０、１２０；２１０、２２０；３１０、３２０；４１０、４２０）は、白色可視光で照射された時に同一の又はほぼ同一の光学的外観を示す少なくとも第１及び第２インクによって印刷され、その結果、前記印刷セキュリティフィーチャ（１；１＊；１＊＊；１＊＊＊）は、白色可視光で照射された時に第１図形表示（図１；図６；図１１；図１４）を生成し、少なくとも前記第１インクは、前記第２インクから前記第１インクを区別する特徴的な光学的応答を生成することによって非可視光励起に反応するインクであり、
前記印刷セキュリティフィーチャ（１；１＊；１＊＊；１＊＊＊）は、非可視光で照射された時に第２図形表示（図５；図１０；図１３；図１６）を生成し、前記第２図形表示（図５；図１０；図１３；図１６）は、前記印刷セキュリティフィーチャ（１；１＊；１＊＊；１＊＊＊）が非可視光で照射された時にのみあらわになる区別可能な二次元図形要素（Ｂ；Ｄ；Ｆ；Ｈ）を示し、
前記区別可能な二次元図形要素（Ｂ；Ｄ；Ｆ；Ｈ）の境界（１６０；２６０；３６０；４６０）の内側には、前記直線要素及び／又は曲線要素（１１０、１２０；２１０、２２０；３１０、４１０）の一部（Ｐ３；Ｐ３＊；Ｐ３＊＊；Ｐ３＊＊＊）が前記第１及び第２インクの配合によって印刷され、前記直線要素及び／又は曲線要素（１１０、１２０；２１０、２２０；３１０、３２０；４１０、４２０）が、前記一部（Ｐ３；Ｐ３＊；Ｐ３＊＊；Ｐ３＊＊＊）内で、第１及び第２並列セクション（１１０ａ、１１０ｂ、１２０ａ、１２０ｂ；２１０ａ、２１０ｂ、２２０ａ、２２０ｂ）にさらに分割され、前記第１並列セクション（１１０ａ、１２０ａ；２１０ａ、２２０ａ）は前記第１インクによって印刷されるとともに前記第２並列セクション（１１０ｂ、１２０ｂ；２１０ｂ、２２０ｂ）は前記第２インクによって印刷され、
前記区別可能な二次元図形要素（Ｂ；Ｄ；Ｆ；Ｈ）の境界（１６０；２６０；３６０；４６０）の外側には、前記直線要素及び／又は曲線要素（１１０、１２０；２１０、２２０；３１０、３２０；４１０、４２０）の部分（Ｐ１、Ｐ２；Ｐ１＊、Ｐ２＊；Ｐ１＊＊、Ｐ２＊＊、Ｐ４＊＊、Ｐ５＊＊、Ｐ１＊＊＊、Ｐ２＊＊＊、Ｐ４＊＊＊、Ｐ５＊＊＊）が前記少なくとも第１及び第２インクの１つのみによって印刷され、
前記少なくとも第１及び第２インクは、他方に対して一方を見当合わせして印刷され、その結果、前記印刷セキュリティフィーチャ（１；１＊；１＊＊；１＊＊＊）が白色可視光で照射された時に前記区別可能な二次元図形要素（Ｂ；Ｄ；Ｆ；Ｈ）の境界（１６０；２６０；３６０；４６０）が目に見えず、かつ、前記印刷セキュリティフィーチャ（１；１＊；１＊＊；１＊＊＊）が非可視光で照射された時にのみ前記区別可能な二次元図形要素（Ｂ；Ｄ；Ｆ；Ｈ）が目に見えるようになる、印刷セキュリティフィーチャ（１；１＊；１＊＊；１＊＊＊）。
【請求項２】
前記区別可能な二次元図形要素（Ｂ；Ｄ；Ｆ；Ｈ）の境界（１６０；２６０；３６０；４６０）の外側では、前記直線要素及び／又は曲線要素（１１０、１２０；２１０、２２０；３１０；４１０）の第１部分（Ｐ１；Ｐ１＊；Ｐ１＊＊；Ｐ１＊＊＊）が前記第１インクによってのみ印刷され、前記直線要素及び／又は曲線要素（１１０、１２０；２１０、２２０；３１０；４１０）の第２部分（Ｐ２；Ｐ２＊；Ｐ２＊＊；Ｐ２＊＊＊）が前記第２インクのみによって印刷される、請求項１に記載の印刷セキュリティフィーチャ（１；１＊；１＊＊；１＊＊＊）。
【請求項３】
前記直線要素及び／又は曲線要素（３１０、３２０；４１０、４２０）は、白色可視光で照射された時に同一の又はほぼ同一の光学的外観を示す少なくとも第３及び第４インクによってさらに印刷され、前記第３及び第４インクの光学的外観は前記第１及び第２インクの前記光学的外観とは異なり、
前記第３インクは、前記第４インクから前記第３インクを区別する特徴的な光学的応答を生成することによって非可視光励起に反応するインクであり、前記第３インクの特徴的な光学的応答は、前記第１インクの前記特徴的な光学的応答と同一又はほぼ同一であり、
前記区別可能な二次元図形要素（Ｆ；Ｈ）の境界（３６０；４６０）の内側には、前記直線要素及び／又は曲線要素（３２０；４２０）の第２部分（Ｐ６＊＊；Ｐ６＊＊＊）が前記第３及び第４インクの配合によって印刷され、前記第２部分（Ｐ６＊＊；Ｐ６＊＊＊）内で、前記直線要素及び／又は曲線要素（３２０；４２０）は第１及び第２並列セクションにさらに分割され、前記第１並列セクションは前記第３インクによって印刷され、前記第２並列セクションは前記第４インクによって印刷され、
前記区別可能な二次元図形要素（Ｆ；Ｈ）の境界（３６０；４６０）の外側には、前記直線要素及び／又は曲線要素（３２０；４２０）の第３部分（Ｐ４＊＊；Ｐ４＊＊＊）が前記第３インクのみによって印刷され、前記直線要素及び／又は曲線要素（３２０；４２０）の第４部分（Ｐ５＊＊；Ｐ５＊＊＊）は前記第４インクのみによって印刷され、及び、
前記第３及び第４インクは、他方に対して一方を見当合わせして印刷され、その結果、前記印刷セキュリティフィーチャ（１＊＊；１＊＊＊）が白色可視光で照射された時に前記区別可能な二次元図形要素（Ｆ；Ｈ）の境界（３６０；４６０）が目に見えず、かつ、前記印刷セキュリティフィーチャ（１＊＊；１＊＊＊）が非可視光で照射された時にのみ前記区別可能な二次元図形要素（Ｆ；Ｈ）が目に見えるようになる、請求項２に記載の印刷セキュリティフィーチャ（１＊＊；１＊＊＊）。
【請求項４】
前記第１図形表示（図１；図６；図１１；図１４）は、前記印刷セキュリティフィーチャ（１；１＊；１＊＊；１＊＊＊）が非可視光で照射された時に目に見えるようになる前記区別可能な二次元図形要素（Ｂ；Ｄ；Ｆ；Ｈ）から区別可能な第１二次元図形要素（Ａ；Ｃ；Ｅ；Ｇ）を示し、前記第１二次元図形要素（Ａ；Ｃ；Ｅ；Ｇ）及び前記区別可能な二次元図形要素（Ｂ；Ｄ；Ｆ；Ｈ）は、前記印刷範囲（１００；２００；３００；４００）内で部分的に重なり合うように位置決めされる、請求項１〜３のいずれか１項に記載の印刷セキュリティフィーチャ（１；１＊；１＊＊；１＊＊＊）。
【請求項５】
前記第１二次元図形要素（Ａ；Ｅ）及び前記区別可能な区別可能な二次元図形要素（Ｂ；Ｆ）は、同一の形状を有しており、かつ、前記第１二次元図形要素（Ａ；Ｅ）及び前記区別可能な二次元図形要素（Ｂ；Ｆ）の間の転換が一方の位置からもう一方の位置への同一の図形要素の反転又は移動の印象を与えるように設計される、又は、
前記第１二次元図形要素（Ｃ；Ｇ）及び前記区別可能な区別可能な二次元図形要素（Ｄ；Ｈ）は、認識可能な情報を各々が提供する異なった形状を有しており、かつ、前記第１二次元図形要素（Ｃ；Ｇ）及び前記区別可能な二次元図形要素（Ｄ；Ｈ）の間の転換が認識可能な情報の変化をもたらすように設計される、請求項４に記載の印刷セキュリティフィーチャ（１；１＊；１＊＊；１＊＊＊）。
【請求項６】
前記複数の隣接する直線要素及び／又は曲線要素（１１０、１２０；２１０、２２０；３１０、３２０；４１０、４２０）は、前記印刷範囲（１００；２００；３００；４００）の第１ゾーン（１０１；２０１；３０１；４０１）に広がる第１セットの直線要素及び／又は曲線要素（１１０；２１０；３１０；４１０）と、前記印刷範囲（１００；２００；３００；４００）の第２ゾーン（１０２；２０２；３０２；４０２）に広がる少なくとも第２セットの直線要素及び／又は曲線要素（１２０；２２０；３２０；４２０）と、を含む、請求項１〜５のいずれか１項に記載の印刷セキュリティフィーチャ（１；１＊；１＊＊；１＊＊＊）。
【請求項７】
前記第１セットの直線要素及び／又は曲線要素（１１０；２１０；３１０；４１０）は第１方向に沿って延在し、前記第２セットの直線要素及び／又は曲線要素（１２０；２２０；３２０；４２０）は、前記第１方向とは異なる第２方向に沿って延在する、請求項６に記載の印刷セキュリティフィーチャ（１；１＊；１＊＊；１＊＊＊）。
【請求項８】
前記第１及び第２セットの直線要素及び／又は曲線要素（１１０、１２０；２１０、２２０；３１０、３２０；４１０、４２０）は、印刷されない境界線（１５０；２５０；３５０；４５０）によって分離される、請求項６又は７に記載の印刷セキュリティフィーチャ（１；１＊；１＊＊；１＊＊＊）。
【請求項９】
前記第１インクは、前記非可視光励起を受けた時に第１蛍光色を有する可視応答を生成する第１蛍光インクであり、及び、
前記第１蛍光色は、前記印刷セキュリティフィーチャ（１；１＊；１＊＊；１＊＊＊）が前記非可視光励起を受けた時に前記区別可能な二次元図形要素（Ｂ；Ｄ；Ｆ；Ｈ）を目に見えるようにするように寄与する、請求項１〜８のいずれか１項に記載の印刷セキュリティフィーチャ（１；１＊；１＊＊；１＊＊＊）。
【請求項１０】
前記第２インクは、前記非可視光励起を受けた時に第２蛍光色を有する可視応答を生成する第２蛍光インクであり、前記第２蛍光色は前記第１蛍光色から区別可能であり、及び、
前記区別可能な二次元図形要素（Ｂ；Ｄ；Ｆ；Ｈ）の前記境界（１６０；２６０；３６０；４６０）の内側では、前記直線要素及び／又は曲線要素（１１０、１２０；２１０、２２０；３１０；３２０；４１０、４２０）の前記第１及び第２並列セクション（１１０ａ、１１０ｂ、１２０ａ、１２０ｂ；２１０ａ、２１０ｂ、２２０ａ、２２０ｂ）が、前記非可視光励起を受けた時に、前記第１及び第２蛍光色の加法混色から生じた第３蛍光色を生成する、請求項９に記載の印刷セキュリティフィーチャ（１；１＊；１＊＊；１＊＊＊）。
【請求項１１】
前記第１インクは、前記非可視光励起を受けた時に第１蛍光色を有する可視応答を生成する第１蛍光インクであり、
前記第１蛍光色は、前記印刷セキュリティフィーチャ（１＊＊；１＊＊＊）が前記非可視光励起を受けた時に前記区別可能な二次元図形要素（Ｆ；Ｈ）を目に見えるようにするように寄与し、及び、
前記第３インクは、前記非可視光励起を受けた時に前記第１蛍光インクと同一の又はほぼ同一の第１蛍光色を有する可視応答を生成する蛍光インクである、請求項３に記載の印刷セキュリティフィーチャ（１＊＊；１＊＊＊）。
【請求項１２】
前記第２インクは、前記非可視光励起を受けた時に第２蛍光色を有する可視応答を生成する第２蛍光インクであり、前記第２蛍光色は前記第１蛍光色から区別可能であり、
前記第４インクは、前記非可視光励起を受けた時に前記第２蛍光インクと同一の又はほぼ同一の第２蛍光色を有する可視応答を生成する蛍光インクであり、及び、
前記区別可能な二次元図形要素（Ｆ；Ｈ）の前記境界（３６０；４６０）の内側では、前記直線要素及び／又は曲線要素（３１０；３２０；４１０、４２０）の前記第１及び第２並列セクションが、前記非可視光励起を受けた時に、前記第１及び第２蛍光色の加法混色から生じた第３蛍光色を生成する、請求項１１に記載の印刷セキュリティフィーチャ（１＊＊；１＊＊＊）。
【請求項１３】
前記非可視光励起は紫外線励起である、請求項９〜１２のいずれか１項に記載の印刷セキュリティフィーチャ（１；１＊）。
【請求項１４】
前記直線要素及び／又は曲線要素（１１０、１２０；２１０、２２０；３１０、３２０；４１０、４２０）は、２０μｍ〜２００μｍの線幅（ｗ）を示す、請求項１〜１３のいずれか１項に記載の印刷セキュリティフィーチャ（１；１＊；１＊＊；１＊＊＊）。
【請求項１５】
前記直線要素及び／又は曲線要素（１１０、１２０；２１０、２２０；３１０；３２０；４１０、４２０）は一定の線幅（ｗ）を示す、請求項１〜１４のいずれか１項に記載の印刷セキュリティフィーチャ（１；１＊；１＊＊；１＊＊＊）。
【請求項１６】
前記直線要素及び／又は曲線要素（１１０、１２０；２１０、２２０；３１０；３２０；４１０、４２０）は、１ミリメートル当たり２〜５０線の空間周波数で印刷される、請求項１〜１５のいずれか１項に記載の印刷セキュリティフィーチャ（１；１＊；１＊＊；１＊＊＊）。
【請求項１７】
前記区別可能な二次元図形要素（Ｂ；Ｄ；Ｆ；Ｈ）の境界（１６０；２６０；３６０；４６０）の内側では、前記第２並列セクション（１１０ｂ、１２０ｂ；２１０ｂ、２２０ｂ）の表面に対する前記第１並列セクション（１１０ａ、１２０ａ；２１０ａ、２２０ａ）の表面の比率は１／２〜２の範囲内にある、請求項１〜１６のいずれか１項に記載の印刷セキュリティフィーチャ（１；１＊；１＊＊；１＊＊＊）。
【請求項１８】
基材と、請求項１〜１７のいずれか１項に記載の印刷セキュリティフィーチャ（１；１＊；１＊＊；１＊＊＊）と、を備えるオブジェクトであって、前記印刷セキュリティフィーチャ（１；１＊；１＊＊；１＊＊＊）は前記基材上に設けられる、オブジェクト。
【請求項１９】
前記印刷セキュリティフィーチャ（１；１＊；１＊＊；１＊＊＊）は、前記非可視光励起の大部分を吸収する前記基材の一部上に設けられる、請求項１８に記載のオブジェクト。
【請求項２０】
前記オブジェクトは、価値を有する文書、特に、紙幣などの高機密文書であり、又は、セキュリティ要素、特に、偽造者に対して保護されるべき物品上に適用可能なフォイル要素である、請求項１８又は１９に記載のオブジェクト。
【請求項２１】
基材と印刷セキュリティフィーチャとを備えるオブジェクトを製造するプロセスであって、前記プロセスは、
印刷可能な基材を提供するステップと、
前記基材上に、請求項１〜１７のいずれか１項に記載の前記セキュリティフィーチャ（１；１＊；１＊＊；１＊＊＊）を印刷するステップと、を含む、プロセス。
【請求項２２】
前記印刷セキュリティフィーチャ（１；１＊；１＊＊；１＊＊＊）の前記複数の隣接する直線要素及び／又は曲線要素（１１０、１２０；２１０、２２０；３１０、３２０；４１０、４２０）は、同時オフセット、すなわち、前記第１及び第２インクをそれぞれ第１及び第２オフセット印刷版に付けることによって、かつ、印刷前に前記第１及び第２オフセット印刷版から共通のブランケット胴上に、結果として生じる第１及び第２インクパターンを転写することによって、印刷される、請求項２１に記載のプロセス。
【発明の詳細な説明】
【技術分野】
【０００１】
本発明は、概して、印刷可能な基材上に設けられる印刷セキュリティフィーチャに関し、当該印刷セキュリティフィーチャは、所定の空間周波数で印刷された多数の隣接する直線要素及び／又は曲線要素から構成された印刷範囲を含む。
【背景技術】
【０００２】
欧州特許出願公開第０７１０５７４Ａ２号明細書及び欧州特許出願公開第１２９１１９５Ａ１号明細書は各々、そうした印刷セキュリティフィーチャを開示している。
【０００３】
偽造者による偽造をさらにより一層困難にするため、それらの公知の印刷セキュリティフィーチャのさらなる改良が必要とされる。
【発明の概要】
【０００４】
従って、本発明の概略的な目的は公知の印刷セキュリティフィーチャを改良することである。
【０００５】
より具体的には、本発明の目的は、偽造することが困難であって、適正な方法で製造されるための高精度の印刷設備を必要とする印刷セキュリティフィーチャを提供することである。
【０００６】
本発明のさらに別の目的は、例えば紫外線などの非可視光によって照射された時に単純かつ容易に理解可能な光学的効果の形成を可能にする解決策であって、セキュリティフィーチャの真偽を制御するために簡素なツール（例えば適切な紫外線など）を必要とする解決策を提供することである。
【０００７】
これらの目的は、特許請求の範囲で定義される印刷セキュリティフィーチャによって達成される。
【０００８】
従って、印刷可能な基材上に提供された印刷セキュリティフィーチャが設けられ、当該印刷セキュリティフィーチャは、所定の空間周波数で印刷された多数の隣接する直線要素及び／又は曲線要素から構成された印刷範囲を含む。本発明によれば、直線要素及び／又は曲線要素は、白色可視光によって照射された時に同一の又はほぼ同一の光学的外観を示す少なくとも第１及び第２インクによって印刷され、その結果、印刷セキュリティフィーチャは、白色可視光で照射された時に第１図形表示を生成し、少なくとも第１インクは、第２インクから第１インクを区別する特徴的な光学的応答を生成することによって非可視光励起に反応するインクである。印刷セキュリティフィーチャは、非可視光で照射された時に第２図形表示を生成し、当該第２図形表示は、印刷セキュリティフィーチャが非可視光で照射された時にのみあらわになる区別可能な二次元図形要素を示す。区別可能な二次元図形要素の境界の内側には、直線要素及び／又は曲線要素の一部が第１及び第２インクの配合によって印刷され、当該一部内で、直線要素及び／又は曲線要素は第１及び第２並列セクションにさらに分割され、第１並列セクションは第１インクによって印刷され、かつ、第２並列セクションは第２インクによって印刷される。区別可能な二次元図形要素の境界の外側には、少なくとも第１及び第２インクのうちの１つのみによって直線要素及び／又は曲線要素の部分が印刷される。少なくとも第１及び第２インクは、印刷セキュリティフィーチャが白色可視光で照射された時に区別可能な二次元図形要素の境界は目に見えず、かつ、印刷セキュリティフィーチャが非可視光で照射された時に区別可能な二次元図形要素のみが目に見えるようになるように、他方に対して一方を見当合わせして印刷される。
【０００９】
本発明の重要な利点は、適正な見当合わせによって少なくとも第１及び第２インクを印刷するための精密な印刷プロセスを必要とし、当該印刷プロセスが、偽造者にとって簡単に利用可能ではないという事実にある。色同士の間の誤った見当合わせは、結果として、区別可能な二次元図形要素の境界が可視光下で目に見えるようになり、それによって、可視光下では通常は隠されている二次元図形要素の存在をあらわにする。
【００１０】
印刷セキュリティフィーチャは、有利には、区別可能な二次元図形要素の境界の外側に、直線要素及び／又は曲線要素の第１部分が第１インクのみによって印刷され、かつ、直線要素及び又は曲線要素の第２部分が第２インクのみによって印刷されるようにされる。好ましくは、印刷セキュリティフィーチャはさらに、直線要素及び／又は曲線要素がさらに、白色可視光で照射された時に同一の又はほぼ同一の光学的外観を示す少なくとも第３及び第４インクによって印刷されるようにされてもよく、第３及び第４インクの光学的外観は第１及び第２インクの光学的外観とは異なる。これに関連して、第３インクは、第４インクから第３インクを区別する特徴的な光学的応答を生成することによって非可視光励起に反応するインクであり、第３インクの特徴的な光学的応答は第１インクの特徴的な光学的応答と同一又はほぼ同一である。この場合、区別可能な二次元図形要素の境界の内側には、直線要素及び／又は曲線要素の第２の一部が第３及び第４インクの配合によって印刷され、第２の一部内で直線要素及び／又は曲線要素は第１及び第２並列セクションにさらに分割され、第１並列セクションは第３インクによって印刷され、第２並列セクションは第４インクによって印刷される。区別可能な二次元図形要素の境界の外側には、直線要素及び／又は曲線要素の第３部分が第３インクのみによって印刷され、かつ、直線要素及び／又は曲線要素の第４部分が第４インクのみによって印刷される。第３及び第４インクは同様に、印刷セキュリティフィーチャが白色可視光で照射された時に区別可能な二次元図形要素の境界は目に見えず、かつ、印刷セキュリティフィーチャが非可視光で照射された時に区別可能な二次元図形要素のみが目に見えるようになるように、他方に対して一方を見当合わせして印刷される。
【００１１】
好ましくは、第１図形表示が第１二次元図形要素を示し、第１二次元図形要素は、印刷セキュリティフィーチャが非可視光で照射された時に目に見えるようになる区別可能な二次元図形要素とは区別可能であり、第１二次元図形要素及び区別可能な二次元図形要素は印刷範囲内で部分的に重なり合うように位置決めされる。
【００１２】
この好適な実施形態の一変形例（図１〜図５参照）では、第１二次元図形要素及び区別可能な二次元図形要素は同一の形状（例えば図示した例では三角形状）を有し、かつ、第１二次元図形要素と区別可能な二次元図形要素との間の転換が一方の位置からもう一方の位置（例えば下向き又は上向きの三角形状）への同一の図形要素の反転又は移動の印象を与えるように設計される。
【００１３】
この好適な実施形態の別の変形例（図６〜図１０参照）では、第１二次元図形要素及び区別可能な二次元図形要素は、認識可能な情報を各々が提供する異なった形状（例えば図示した例では数字記号「１」及び「２」）を有し、かつ、第１二次元図形要素と区別可能な二次元図形要素との間の転換が認識可能な情報の変化（例えば数字記号「１」と数字記号「２」との間の変化）をもたらすように設計される。
【００１４】
有利には、多数の隣接する直線要素及び／又は曲線要素は、印刷範囲の第１ゾーンに広がる第１セットの直線要素及び／又は曲線要素と、印刷範囲の第２ゾーンに広がる少なくとも第２セットの直線要素及び／又は曲線要素と、を含み、そのことが、印刷セキュリティフィーチャが白色可視光で照射される状態において適切に識別され得る第１図形表示を規定することを助ける。これに関連して、第１セットの直線要素及び／又は曲線要素が第１方向に沿って延在するように第１セットの直線要素及び／又は曲線要素を設計すること、及び、第２セットの直線要素及び／又は曲線要素が、第１方向とは異なる第２方向に沿って延在するように第２セットの直線要素及び／又は曲線要素を設計すること、が好ましい。同様に、第１及び第２セットの直線要素及び／又は曲線要素は、印刷されない境界線によって有利に分離され得る。
【００１５】
特に好適な実施形態（以下に説明する）によれば、第１インクは、非可視光励起（紫外線励起が好ましい）を受けた時に第１蛍光色を有する可視応答を生成する第１蛍光インクであり、第１蛍光色は、印刷セキュリティフィーチャが非可視光励起を受けた時に区別可能な二次元図形要素を目に見えるようにすることに寄与する。この好適な実施形態の特に有利な変形例によれば、第２インクは、非可視光励起を受けた時に第２蛍光色を有する可視応答を生成する第２蛍光インクであり、第２蛍光色は第１蛍光色と区別可能である。従って、区別可能な二次元図形要素の境界の内側では、直線要素及び／又は曲線要素の第１及び第２並列セクションが、非可視光励起を受けた時、第１及び第２蛍光色の加法混色から生じる第３蛍光色を生成する。
【００１６】
上述したような異なる４つのインクを採用するさらに別の実施形態では、第１インクは、非可視光励起（紫外線励起が好ましい）を受けた時に第１蛍光色を有する可視応答を生成する第１蛍光インクであり、第１蛍光色は、印刷セキュリティフィーチャが非可視光励起を受けた時に区別可能な二次元図形要素を目に見えるようにすることに寄与し、及び、第３インクは、非可視光励起を受けた時に第１蛍光インクと同一の又はほぼ同一の第１蛍光色を有する可視応答を生成する蛍光インクである。この他の実施形態の特に有利な変形例によれば、第２インクは、非可視光励起を受けた時に第２蛍光色を有する可視応答を生成する第２蛍光インクであり、第２蛍光色は第１蛍光色から区別可能であり、及び、第４インクは、非可視光励起を受けた時に第２蛍光インクと同一の又はほぼ同一の第２蛍光色を有する可視応答を生成する蛍光インクである。従って、区別可能な二次元図形要素の境界の内側では、直線要素及び／又は曲線要素の第１及び第２並列セクションが、非可視光励起を受けた時に、第１及び第２蛍光色の加法混色から生じる第３蛍光色を生成する。
【００１７】
本発明によれば、直線要素及び／又は曲線要素は２０μｍ〜２００μｍの線幅を示すことが好ましい。直線要素及び／又は曲線要素の線幅は一定であってもよいが、直線要素及び／又は曲線要素の線幅は、追加情報を表すように調節されてもよいことが理解されよう。
【００１８】
好ましくは、直線要素及び／又は曲線要素は、セキュリティフィーチャが白色可視光で照射された時及びセキュリティフィーチャが非可視光（例えば紫外線）で照射された時の両方において均質な図形表示を保証する１ミリメートル当たり２〜５０線の空間周波数で印刷される。
【００１９】
区別可能な二次元図形要素の境界の内側では、第２並列セクションの表面に対する第１並列セクションの表面の比率は、１／２〜２の範囲内にあることが好都合であり、当該比率は、非可視光による印刷セキュリティフィーチャの照射の結果としてあらわになる時の区別可能な二次元図形要素の色の外観の明度を調節する適応性を提供する。このことは、上述の第１及び第２蛍光インク（及び、場合によっては、第３及び第４蛍光インク）のそれぞれの寄与を調節するために特に有用であり、それによって、第１及び第２蛍光色の加法混色から生じる第３蛍光色の調整を可能にする。
【００２０】
多数の隣接する直線要素及び／又は曲線要素は、同時オフセットによって印刷されることが好ましく、すなわち、第１及び第２オフセット印刷版に第１及び第２インクを付けることによって、及び、印刷前に第１及び第２オフセット印刷版から共通のブランケット胴上に、結果として生じる第１及び第２インクパターンを転写することによって、印刷されることが好ましい。印刷プロセスが、第１及び第２インクの間での適正な見当合わせによって多数の隣接する直線要素及び／又は曲線要素を印刷することに適合される場合には、他の印刷プロセス（例えば凹版印刷など）が検討されてもよい。
【００２１】
本発明に係る基材及び印刷セキュリティフィーチャを備えるオブジェクトも特許請求され、当該印刷セキュリティフィーチャは基材上に設けられる。これに関連して、印刷セキュリティフィーチャは、非可視光励起の大部分を吸収する基材の部分上に有利に設けられる。この部分は、セキュリティフィーチャの印刷前に、基材自体の部分、又は、基材上に付与された適切な層のいずれかであり得る。この部分は、背景が非可視光による照射下で大部分が暗く現れるので、（非可視光で照射された時に）セキュリティフィーチャと背景との間のより良好なコントラストを保証する。
【００２２】
オブジェクトは、価値を有する文書（特に、例えば紙幣などの高機密文書）、又は、偽造から保護されるべき物品上に適用可能なセキュリティ要素（特に、例えばホットスタンピングによって転写可能な転写可能フォイル要素、又は、物品の適切な表面上に積層可能なフォイル要素などのフォイル要素）であってもよい。
【００２３】
基材及び印刷セキュリティフィーチャを備えるオブジェクトを製造するプロセスであって、印刷可能な基材を提供するステップと、基材上に本発明に係る印刷セキュリティフィーチャを印刷するステップと、を含む、プロセスがさらに特許請求される。
【００２４】
本発明のさらなる有利な実施形態を以下に説明する。
【００２５】
本発明の他の特徴及び利点は、非限定的な例によってもっぱら提示されて添付の図面によって図示される本発明の実施形態の以下の詳細な説明を読むことによって一層明確になるであろう。
【図面の簡単な説明】
【００２６】
【図１】本発明の第１実施形態に係る印刷セキュリティフィーチャの概略図であり、白色可視光で照射された時の印刷セキュリティフィーチャを示す。
【図２】区別可能な二次元図形要素（当該要素は参照符号Ｂによってその全体が示される）の境界が破線で示される図１の印刷セキュリティフィーチャの概略図であり、この区別可能な二次元図形要素は、印刷セキュリティフィーチャが非可視光（例えば紫外線）で照射された時にのみあらわになる。
【図３Ａ】図１の印刷セキュリティフィーチャの第１及び第２部分エリアの詳細図であり、区別可能な二次元図形要素の境界の内側及び外側の、セキュリティフィーチャの印刷範囲を構成する直線要素の詳細を示す。
【図３Ｂ】図１の印刷セキュリティフィーチャの第１及び第２部分エリアの詳細図であり、区別可能な二次元図形要素の境界の内側及び外側の、セキュリティフィーチャの印刷範囲を構成する直線要素の詳細を示す。
【図４】非可視光励起すなわちこの例では紫外線励起を受けた時の図１のセキュリティフィーチャによって生成される第１、第２及び第３蛍光色の空間的分布の概略図である。
【図５】非可視光（例えば紫外線）励起を受けた時の、図１の印刷セキュリティフィーチャの結果として生じた外観の概略図である。
【図６】本発明の第２実施形態に係る印刷セキュリティフィーチャの概略図であり、白色可視光で照射された時の印刷セキュリティフィーチャを示す。
【図７】区別可能な二次元図形要素（当該要素は参照符号Ｄによってその全体が示される）の境界が破線で示される場合の図６の印刷セキュリティフィーチャの概略図であり、この区別可能な二次元図形要素は、印刷セキュリティフィーチャが非可視光（例えば紫外線）で照射された時にのみあらわになる。
【図８Ａ】図６の印刷セキュリティフィーチャの第１、第２及び第３部分エリアの詳細図であり、区別可能な二次元図形要素の境界の内側及び外側で、セキュリティフィーチャの印刷範囲を構成する直線要素の詳細を示す。
【図８Ｂ】図６の印刷セキュリティフィーチャの第１、第２及び第３部分エリアの詳細図であり、区別可能な二次元図形要素の境界の内側及び外側で、セキュリティフィーチャの印刷範囲を構成する直線要素の詳細を示す。
【図８Ｃ】図６の印刷セキュリティフィーチャの第１、第２及び第３部分エリアの詳細図であり、区別可能な二次元図形要素の境界の内側及び外側で、セキュリティフィーチャの印刷範囲を構成する直線要素の詳細を示す。
【図９】非可視光すなわちこの例では紫外線励起を受けた時の図６のセキュリティフィーチャによって生成される第１、第２及び第３蛍光色の空間的分布の概略図である。
【図１０】非可視光（例えば紫外線）励起を受けた時の、図６の印刷セキュリティフィーチャの結果として生じた外観の概略図である。
【図１１】図１の印刷セキュリティフィーチャの変形例の概略図であり、白色可視光で照射された時の印刷セキュリティフィーチャを示し、当該変形例は、異なる４つのインクを用いて印刷される。
【図１２】区別可能な二次元図形要素（当該要素は参照符号Ｆによってその全体が示される）の境界が破線で示される図１の印刷セキュリティフィーチャの概略図であり、この区別可能な二次元図形要素は、第１実施形態と同様に、印刷セキュリティフィーチャが非可視光（例えば紫外線）で照射された時にのみあらわになる。
【図１３】非可視光（例えば紫外線）励起を受けた時の、図１１の印刷セキュリティフィーチャの結果として生じた外観の概略図であり、当該外観は、図５に図示される外観と同様である。
【図１４】図６の印刷セキュリティフィーチャの変形例の概略図であり、白色可視光で照射された時の印刷セキュリティフィーチャを示し、当該変形例は、異なる４つのインクを用いて印刷される。
【図１５】区別可能な二次元図形要素（当該要素は参照符号Ｈによってその全体が示される）が破線で示される図１４の印刷セキュリティフィーチャの概略図であり、区別可能な二次元図形要素は、第２実施形態と同様に、印刷セキュリティフィーチャが非可視光（例えば紫外線）で照射された時にのみあらわになる。
【図１６】非可視光（例えば紫外線）励起を受けた時の、図６の印刷セキュリティフィーチャの結果として生じた外観の概略図であり、当該外観は、図１０に図示される外観と同様である。
【発明を実施するための形態】
【００２７】
本発明は、非可視光励起を受けた時に対応の可視応答を生成する少なくとも第１及び第２蛍光インクによって印刷された印刷セキュリティフィーチャに特に関連して説明され、第１及び第２インクは、互いに異なる第１及び第２蛍光色をそれぞれ有する区別可能な可視応答を生成する。以下に説明する例では、第１蛍光インクは、緑色の蛍光を発するインクである一方で、第２蛍光インクは、赤色の蛍光を発するインクである。これらの例は、単なる例示であり、かつ、特許請求の範囲で定義される本発明の範囲から逸脱しない限りにおいて他の蛍光色が検討されてもよい。これは以下で理解されるように、第１及び第２蛍光インクは、印刷セキュリティフィーチャの特定の場所において有利に混合して、第１及び第２蛍光色の加法混色から生じる第３蛍光色を形成する。以下では、第１及び第２蛍光色の各々が第３蛍光色に同等に寄与し、それによって、当該例で黄蛍光色を生じさせることを前提とする。しかしながら、第３色が、加法混色における第１及び第２蛍光色の関連する寄与に実際には依存することが理解されよう。赤色の寄与が増大するにつれて、第３色は黄色から橙色に及び赤色に変化していく。緑色の寄与が増大するにつれて、第３色は黄緑色に及び緑色に変化していく。
【００２８】
この例では、非可視光励起が紫外線励起であることを前提とする。しかしながら、非可視光励起は、代替的に、近赤外線励起、又は、可視応答を適切にトリガすることができる可視スペクトルの外側の任意の他の励起であってもよいことが理解されよう。本発明の範囲内では、非可視光励起に反応する１つインクのみ又は２以上のインクが検討されてもよい。
【００２９】
図１〜図５は、本発明の第１実施形態に係る印刷セキュリティフィーチャ（参照符号１によってその全体が識別される）を示しており、印刷セキュリティフィーチャ１は、（可視光下での）印刷セキュリティフィーチャの第１図形表示が、第１二次元図形要素Ａ（すなわち、下向きの三角形状−図１〜図３Ａ、図３Ｂ参照）を示すという事実によって特徴付けられ、第１二次元図形要素Ａは、印刷セキュリティフィーチャが非可視光で照射された時に目に見えるようになる区別可能な二次元図形要素Ｂ（すなわち、上向きの三角形状−図２〜図５を参照）とは区別可能であり、第１二次元図形要素Ａ及び区別可能な二次元図形要素Ｂは、セキュリティフィーチャ１（図２を参照）の印刷範囲内で部分的に重なり合うように位置決めされ、印刷範囲は図１〜図５において参照符号１００によって示される。区別可能な二次元図形要素Ｂの境界は、図２〜図５において破線で描かれ、及び、参照符号１６０によって示される。図１〜図５の例では、第１二次元図形要素Ａ及び区別可能な二次元図形要素Ｂは、同一の形状（すなわち、図示した例では三角形状）を有しており、かつ、第１二次元図形要素Ａと区別可能な二次元図形要素Ｂとの間の転換が同一の図形要素の一方の位置からもう一方の位置（すなわち、下向き又は上向きの三角形状）への反転又は移動の印象を与えるように設計される。
【００３０】
対照的に、図６〜図１０は、本発明の第２実施形態に係る印刷セキュリティフィーチャ（参照符号１＊によってその全体が識別される）を示しており、印刷セキュリティフィーチャ１＊は、（可視光下での）印刷セキュリティフィーチャの第１図形表示が、第１二次元図形要素Ｃ（すなわち、数字記号「１」−図６〜図８Ａ−図８Ｃ参照）を示すという事実によって特徴付けられ、第１二次元図形要素Ｃは、印刷セキュリティフィーチャが非可視光で照射された時に目に見えるようになる区別可能な二次元図形要素Ｄ（すなわち、数字記号「２」−図７〜図１０参照）とは区別可能であり、第１二次元図形要素Ｃ及び区別可能な二次元図形要素Ｄは、セキュリティフィーチャ１＊（図７参照）の印刷範囲内で部分的に重なり合うように位置決めされ、印刷範囲は、図６〜図１０において参照符号２００によって示される。区別可能な二次元図形要素Ｄの境界は、図７〜図１０において破線で描かれ、及び、参照符号２６０によって示される。図６〜図１０の例では、第１二次元図形要素Ｃ及び区別可能な二次元図形要素Ｄは、認識可能な情報を各々が提供する異なった形状（すなわち、図示した例では数字記号「１」及び「２」）を有しており、及び、第１二次元図形要素Ｃと区別可能な二次元図形要素Ｄとの間の転換が認識可能な情報の変化（すなわち、数字記号「１」と数字記号「２」との間の変化）をもたらすように設計される。
【００３１】
両実施形態では、印刷範囲１００、２００はそれぞれ、図１〜図５において参照符号１１０、１２０によって、及び、図６〜図１０において参照符号２１０、２２０によって示される多数の平行の直線要素から構成される。これらの直線要素１１０、１２０、２１０、２２０はそれぞれ、好ましくは１ミリメートル当たり２〜５０線のオーダを有する所定の空間周波数で印刷される。図が直線要素１１０、１２０、２１０、２２０をそれぞれ示す一方で、本発明は、多数の隣接する曲線要素（例えば隣接する波、同心円、又は、多数の隣接する要素として印刷され得る任意の他の非直線要素など）から構成された印刷範囲を含むセキュリティフィーチャにも同等に適用可能である。直線要素及び曲線要素を組み合わせることも可能である。
【００３２】
好ましくは、図１〜図５の多数の平行の直線要素１１０、１２０は、印刷範囲１００の第１ゾーン１０１に広がる第１セットの直線要素１１０と、印刷範囲１００の第２ゾーン１０２に広がる少なくとも第２セットの直線要素１２０と、を含む。同様に、図６〜図１０の多数の平行の直線要素２１０、２２０は、印刷範囲２００の第１ゾーン２０１に広がる第１セットの直線要素２１０と、印刷範囲２００の第２ゾーン２０２に広がる少なくとも第２セットの直線要素２２０と、を含む。このことは、印刷セキュリティフィーチャが白色可視光で照射される状態において適切に識別され得る第１図形表示を規定することを助ける。
【００３３】
これに関連して、第１セットの直線要素１１０、２１０がそれぞれ第１方向に沿って（すなわち、本例において垂直に）延在するように第１セットの直線要素１１０、２１０のそれぞれを設計すること、及び、第２セットの直線要素１２０、２２０が、第１方向とは異なる第２方向に沿って（すなわち、図示した例において水平に）延在するように第２セットの直線要素１２０、２２０のそれぞれを設計することが好ましい。さらに、図１〜図１０の例示では、第１及び第２セット１１０、１２０、２１０、２２０のそれぞれの直線要素は、図１〜図５では参照符号１５０によって、及び、図６〜図１０では参照符号２５０によって示される印刷されない境界線によって分離される。
【００３４】
図示した例では、要素１１０、１２０及び２１０、２２０はそれぞれ、一定の線幅ｗを有することが好ましく、線幅ｗは、２０μｍ〜２００μｍの範囲内で好都合に選択され得る。しかしながら、本発明の範囲内では、追加情報を表すために線幅の調節を検討してもよい。図示した例では、要素１１０、１２０及び２１０、２２０がそれぞれ１００μｍのオーダの線幅を有していること、及び、要素１１０、１２０及び２１０、２２０のそれぞれの空間周波数が、１ミリメートル当たり５線のオーダを有することが前提とされる。印刷されない境界線１５０、２５０はそれぞれ、図示した例では１５０μｍのオーダの幅を示す。
【００３５】
本発明に従って、直線要素１１０、１２０及び２１０、２２０がそれぞれ、白色可視光で照射された時に同一の又はほぼ同一の光学的外観を示す少なくとも第１及び第２インクによって印刷され、その結果、印刷セキュリティフィーチャ１、１＊はそれぞれ、白色可視光で照射された時に第１図形表示（図１、図６）を生成する。すでに述べたように、第１及び第２インクは、区別可能な蛍光色（すなわち、この例では緑色及び赤色）を有する第１及び第２蛍光インクであることが好ましい。
【００３６】
図３Ａ及び図３Ｂを参照すると、二次元図形要素Ｂの境界１６０の内側では、直線要素１１０、１２０は、第１及び第２並列セクション１１０ａ、１１０ｂ（図３Ａ参照）、１２０ａ、１２０ｂ（図３Ｂ参照）にそれぞれさらに分割されることが分かる。言い換えれば、第１及び第２並列セクション１１０ａ、１１０ｂ及び１２０ａ、１２０ｂはそれぞれ、互いに結合して隣接するように印刷される。第１並列セクション１１０ａ、１２０ａは第１蛍光インク（すなわち、図３Ａ及び図３Ｂにおいて網掛けで識別される蛍光緑色インク）によって印刷される一方で、第２並列セクション１１０ｂ、１２０ｂは第２インク（すなわち、図３Ａ及び図３Ｂにおいて無地で特定される蛍光赤色インク）によって印刷される。二次元図形要素Ｂの境界１６０の外側では、直線要素１１０、１２０は第１インク（例えば図３Ｂ参照）又は第２インク（例えば図３Ａ参照）のみによって印刷される。
【００３７】
同様に、図８Ａ〜図８Ｃを参照すると、二次元図形要素Ｄの境界２６０の内側では、直線要素２１０、２２０は、第１及び第２並列セクション２１０ａ、２１０ｂ（図８Ａ参照）、２２０ａ、２２０ｂ（図８Ｂ及び図８Ｃを参照）にそれぞれさらに分割されることが分かる。言い換えれば、第１及び第２並列セクション２１０ａ、２１０ｂ及び２２０ａ、２２０ｂはそれぞれ、互いに結合して隣接するように印刷される。第１並列セクション２１０ａ、２２０ａは第１蛍光インク（すなわち、図８Ａ及び図８Ｃにおいて網掛けで識別される蛍光緑色インク）によって印刷される一方で、第２並列セクション２１０ｂ、２２０ｂは第２インク（すなわち、図８Ａ及び図８Ｃにおいて無地で識別される蛍光赤色インク）によって印刷される。二次元図形要素Ｄの境界２６０の外側では、直線要素２１０、２２０は第１インク（例えば図８Ａ及び図８Ｂ参照）又は第２インク（例えば図８Ｃ参照）のみによって印刷される。
【００３８】
いずれの場合も、第１及び第２インクは、他方に対して一方を見当合わせして印刷され、その結果、二次元図形要素Ｂ、Ｄそれぞれの境界１６０、２６０はそれぞれ、印刷セキュリティフィーチャが白色可視光で照射された時には見に見えず、及び、二次元図形要素Ｂ、Ｄそれぞれは印刷セキュリティフィーチャが非可視光で照射された時にのみ目に見るようになる。
【００３９】
実際、図４によって例示するように、第１及び第２インクの配置は、セキュリティフィーチャ１が紫外線励起を受けた時、二次元図形要素Ｂの境界１６０の外側の、第１インクによって全体が印刷された直線要素１１０、１２０の部分Ｐ１が、蛍光緑色領域（図４の印刷範囲１００の左上隅の三角形エリア）として現れる一方で、二次元図形要素Ｂの境界１６０の外側の、第２インクによってその全体が印刷された直線要素１１０、１２０の部分Ｐ２が、蛍光赤色領域（図４の印刷範囲１００の右上隅の三角形エリア）として現れるようにされる。二次元図形要素Ｂの境界１６０の内側の、第１及び第２蛍光インクの配合によって印刷された直線要素１１０、１２０の残りの部分Ｐ３（すなわち、上向きの三角形状を形成する部分）は、蛍光緑色及び蛍光赤色の加法混色によって蛍光黄色領域として現れる。
【００４０】
同様のことが図６〜図１０の実施形態に関しても当てはまる。実際、図９によって例示するように、第１及び第２インクの配置は、セキュリティフィーチャ１＊が紫外線励起を受けた時、二次元図形要素Ｄの境界２６０の外側の、第１インクによってその全体が印刷された直線要素２１０、２２０の部分Ｐ１＊が、蛍光緑色領域（図９の数字記号「２」の左側の背景の部分）として現れる一方で、二次元図形要素Ｄの境界２６０の外側の、第２インクによって全体が印刷された直線要素２１０、２２０の部分Ｐ２＊が、蛍光赤色領域（図９の数字記号「２」の右側の背景の部分）として現れるようにされる。二次元図形要素Ｄの境界２６０の内側の、第１及び第２蛍光インクの配合によって印刷された直線要素２１０、２２０の残りの部分Ｐ３＊（すなわち、数字記号「２」を形成する部分）は、蛍光緑色及び蛍光赤色の加法混色によって蛍光黄色領域として現れる。
【００４１】
図５及び図１０は、印刷セキュリティフィーチャ１、１＊がそれぞれ、非可視光（すなわち、紫外線）で照射された時に結果として生じる図形表示を概略的に示す図である。
【００４２】
前述の実施形態では、二次元図形要素Ｂ、Ｄそれぞれの境界１６０、２６０それぞれの内側の、第２並列セクション１１０ｂ、１２０ｂ及び２１０ｂ、２２０ｂそれぞれの表面に対する第１並列セクション１１０ａ、１２０ａ及び２１０ａ、２２０ａそれぞれの表面の比率は１にほぼ等しい。言い換えれば、図３Ａ〜図３Ｂ及び図８Ａ〜図８Ｃの例示では、各並列セクションの線幅は、直線要素の全体の線幅ｗのおよそ半分（すなわち、ｗ／２）である。この比率は必要に応じて変更されてもよい。この比率は、１／２〜２の範囲内にあることが好ましく、前述した好適な実施形態で用いられる第１及び第２蛍光インクのそれぞれの寄与を調節するための適応性を提供し、それによって、第１及び第２蛍光色の加法混色から生じる第３蛍光色の調整を可能にする。
【００４３】
隣接する直線（及び／又は場合によっては曲線要素）の印刷は、同時オフセットによって、すなわち、第１及び第２オフセット印刷版に第１及び第２インクをそれぞれ付けることによって、かつ、印刷前に第１及び第２オフセット印刷版から共通のブランケット胴に結果として生じる第１及び第２インクパターンを転写することによって、実行されることが好ましい。第１及び第２インクの間の適正な見当合わせによって多数の隣接する直線要素及び／又は曲線要素を印刷するように印刷プロセスが適合されている場合、他の印刷プロセス（例えば凹版印刷など）が検討されてもよい。適切な同時オフセット印刷機は、例えば、参照によって本願に組み込まれる欧州特許出願公開第０９４９０６９Ａ１号明細書に開示されている。前述のセキュリティフィーチャ１、１＊はそれぞれ、欧州特許出願公開第０９４９０６９Ａ１号明細書の印刷機の主要な印刷グループの一方又は他方のブランケット胴と協働する４つの版胴のうちの２つを用いて（参照符号４〜７、８〜１１それぞれが示す、共通のブランケット胴２、３それぞれと協働する関連の版胴を示す当該明細書の図１を参照）、シート（又は、任意の他の適切な基材）の一方の側又は他方の側上に好都合に印刷されることができる。代替的に、前述のセキュリティフィーチャ１、１＊それぞれはまた、欧州特許出願公開第０９４９０６９Ａ１号明細書の印刷機の追加の印刷グループのブランケット胴と協働する２つの版胴（参照符号２３及び２４が共通のブランケット胴２２と協働する関連の版胴を示す当該明細書の図１を参照）を用いて、シートの一方の側上に印刷されることができる。
【００４４】
前述の実施形態の変形例が可能である。（第１及び第２インクに加えて）少なくとも第３及び第４インクによって直線要素及び／又は曲線要素をさらに印刷することを特に検討することができ、第３及び第４インクは、白色可視光で照射された時に同一の又はほぼ同一の光学的外観を示し、第３及び第４インクの光学的外観は第１及び第２インクの光学的外観とは異なる。これに関連して、第３インクは、第４インクから第３インクを区別する特徴的な光学的応答を生成することによって非可視光励起にも反応するインクであり、第３インクの特徴的な光学的応答は第１インクの特徴的な光学応答と同一又はほぼ同一である。第１及び第２インクと同様に、第３及び第４インクはまた、印刷セキュリティフィーチャが白色可視光で照射された時に区別可能な二次元図形要素の境界が目に見えないままである一方で、印刷セキュリティフィーチャが非可視光で照射された時に区別可能な二次元図形要素のみが目に見えるようになるように、他方に対して一方を見当合わせして印刷される。
【００４５】
このような変形例の実例を、図１１〜図１３及び図１４〜図１６に示しており、かつ、以下に簡単に説明する。
【００４６】
図１１〜図１３は、図１〜図５の第１実施形態の変形例を図示しており、参照符号１＊＊によって示される印刷セキュリティフィーチャが、概して上で定義したように４つのインクを用いて印刷される。この特定の例では、第１実施形態と同じ特性を有する第１及び第２インクが用いられ、すなわち、非可視光励起を受けた時に対応の可視応答を生成する第１及び第２蛍光インクが用いられ、第１及び第２インクは、互いに異なる第１及び第２蛍光色をそれぞれ有する区別可能な可視応答を生成する。第１実施形態と同様に、第１蛍光インクは、緑色の蛍光を発するインクである一方で、第２蛍光インクは、赤色の蛍光を発するインクである。これらの例も単なる例示であり、及び、特許請求の範囲で定義されるような本発明の範囲から逸脱しない限りにおいて他の蛍光色が検討されてもよい。この例でも、第１及び第２インクは、白色可視光で照射された時に同一の又はほぼ同一の光学的外観を示す。
【００４７】
第１実施形態とは対照的に、セキュリティフィーチャ１＊＊を印刷するために、第３及び第４インク、すなわち、同一の又はほぼ同一の光学的外観を示すが第１及び第２インクの光学的外観とは異なる第３及び第４インクがさらに用いられる。この特定の例では、第３及び第４インクはまた、非可視光励起を受けた時に対応の可視応答を生成する第３及び第４蛍光インクであることが好ましく、第３及び第４インクは区別可能な可視応答を生成する。第３蛍光インクによって生成された蛍光色は、第１蛍光インクの第１蛍光色（すなわち、この場合は緑色）と同一又はほぼ同一になるように選択される。対照的に、第４蛍光インクによって生成された蛍光色は、第２蛍光インクの第２蛍光色（すなわち、この場合は赤色）と同一又はほぼ同一になるように選択される。
【００４８】
図１〜図５の第１実施形態とほぼ同様に、図１１〜図１３の印刷セキュリティフィーチャ１＊＊は、（可視光下の）印刷セキュリティフィーチャの第１図形表示が、第１二次元図形要素Ｅ（すなわち、下向きの三角形状）を示すという事実によって特徴付けられ、第１二次元図形要素Ｅは、印刷セキュリティフィーチャが非可視光で照射された時に目に見えるようになる区別可能な二次元図形要素Ｆ（すなわち、上向きの三角形状）とは区別可能であり、第１二次元図形要素Ｅ及び区別可能な二次元図形要素Ｆは、セキュリティフィーチャ１＊＊の印刷範囲内で部分的に重なり合うように位置決めされ（図１２を参照）、印刷範囲は、図１１〜図１３において参照符号３００によって示される。区別可能な二次元図形要素Ｆの境界は、図１２及び図１３において破線で描かれ、かつ、参照符号３６０によって示される。図１１〜図１３の例では、第１二次元図形要素Ｅ及び区別可能な二次元図形要素Ｆは同様に、同一の形状（すなわち、図示した例では三角形状）を有しており、かつ、第１二次元図形要素Ｅと区別可能な二次元図形要素Ｆとの間の転換が一方の位置からもう一方の位置（すなわち、下向き又は上向きの三角形）への同一の図形要素の反転又は移動の印象を与えるように設計される。
【００４９】
この変形例では、印刷範囲３００は、図１１及び図１２では参照符号３１０、３２０によって示される多数の平行の直線要素から構成される。直線要素３１０、３２０の幾何学的及び空間的配置は第１実施形態の直線要素１１０、１２０の幾何学的及び空間的配置と同一である。言い換えれば、多数の平行の直線要素３１０、３２０は、印刷範囲３００の第１ゾーン３０１に広がる第１セットの直線要素３１０と、印刷範囲３００の第２ゾーン３０２に広がる少なくとも第２セットの直線要素３２０と、を含む。直線要素の第１及び第２セット３１０、３２０は、参照符号３５０によって示される印刷されない境界線によって同様に分離されるが、この境界線３５０は省略されてもよい。直線要素３１０、３２０の方向は第１実施形態の直線要素１１０、１２０の方向と同一であるが、これは必須ではない。
【００５０】
第１実施形態とは対照的に、可視光によって照射された時に異なる光学的外観を有するインク、すなわち、一方では第１及び第２インクを、かつ、他方では第３及び第４インクを使用することによって、第１図形表示Ｅは強化される。より具体的には、第１ゾーン３０１は、第１及び第２インクを用いて印刷された直線要素３１０から構成される一方で、第２ゾーン３０２は、第３及び第４インクを用いて印刷された直線要素３２０から構成される。第１及び第２ゾーン３０１、３０２は、従って、第３及び第４インクと比較して、第１及び第２インクの異なる光学的外観に起因して明確に区別可能である。
【００５１】
区別可能な二次元図形要素Ｆの境界３６０内で、直線要素３１０の部分Ｐ３＊＊は、第１実施形態における第１及び第２インクの配合によって印刷される。同様に、区別可能な二次元図形要素Ｆの境界３６０の外側で、直線要素３１０の部分Ｐ１＊＊、Ｐ２＊＊は第１インク及び第２インクのいずれかによって印刷される。さらに、区別可能な二次元図形要素Ｆの境界３６０内で、直線要素３２０の２つの部分Ｐ６＊＊は第３及び第４インクの配合によって印刷される。同様に、区別可能な二次元図形要素Ｆの境界３６０の外側で、直線要素３２０の部分Ｐ４＊＊、Ｐ５＊＊は第３インク及び第４インクのいずれかによって印刷される。
【００５２】
直線要素３１０、３２０は、図３Ａ及び図３Ｂを参照してすでに説明したのと同一の原理に従って境界３６０の内側に印刷されるが、直線要素３１０が、第１及び第２インクの配合によって印刷された第１及び第２並列セクションに（部分Ｐ３＊＊内で）さらに分割される一方で、直線要素３２０が、第３及び第４インクの配合によって印刷された第１及び第２並列セクションに（部分Ｐ６＊＊内で）さらに分割される点で相違する。線幅ｗ及び線周波数に関する注釈を含む、前の実施形態に関連して上述したのと同一のルールが適用される。
【００５３】
この例では、例えば第１インクのみによって印刷された直線要素３１０の三角形部分Ｐ１＊＊とともに、図１〜図５の実施形態と同様に非可視光（すなわち、紫外線）によって照射された時に緑色の蛍光を発する三角形部分を共同で形成するために、境界３６０の外側の印刷範囲３００の左側の直線要素３２０の三角形部分（すなわち、部分Ｐ４＊＊）が第３インクのみによって印刷される。同様に、例えば第２インクのみによって印刷された直線要素３１０の三角形部分Ｐ２＊＊とともに、図１〜図５の実施形態と同様に非可視光（すなわち、紫外線）で照射された時に赤色の蛍光を発する三角形部分を共同で形成するために、印刷範囲３００の右側の直線要素３２０の三角形部分Ｐ５＊＊が第４インクのみによって印刷される。
【００５４】
区別可能な二次元図形要素Ｆの境界３６０内では、一方では第１及び第２インクの配合（部分Ｐ３＊＊内）、及び、他方では第３及び第４インクの配合（部分Ｐ６＊＊内）の両方が、蛍光緑色及び蛍光赤色の加法混色によって、黄色の蛍光を発する容易に認識可能な三角形要素Ｆを形成することをもたらす。
【００５５】
図１４〜図１６は、参照符号１＊＊＊によって示される印刷セキュリティフィーチャが、上で概して定義されるように４つのインクを用いて印刷された図６〜図１０の第２実施形態の変形例を図示する。この特定の例では、第２実施形態と同一の特性を有する第１及び第２インクが用いられ、すなわち、非可視光を受けた時に対応の可視応答を生成する第１及び第２蛍光インクが用いられ、第１及び第２インクは、互いに異なる第１及び第２蛍光色をそれぞれ有する区別可能な可視応答を生成する。第２実施形態と同様に、第１蛍光インクは、緑色の蛍光を発するインクである一方で、第２蛍光インクは、赤色の蛍光を発するインクである。これらの例も単に例示であり、かつ、特許請求の範囲で定義される本発明の範囲を逸脱しない限りにおいて他の蛍光色が検討されてもよい。この例でも、第１及び第２インクは、白色可視光で照射された時に同一の又はほぼ同一の光学的外観を示す。
【００５６】
第２実施形態とは対照的に、セキュリティフィーチャ１＊＊＊を印刷するために、第３及び第４インク、すなわち、同一又はほぼ同一の光学的外観を示すが第１及び第２インクの光学的外観とは異なる第３及び第４インクがさらに用いられる。この特定の例では、第３及び第４インクはまた、非可視光励起を受けた時に対応の可視応答を生成する第３及び第４蛍光インクであることが好ましく、第３及び第４インクは区別可能な可視応答を生成する。第３蛍光インクによって生成された蛍光色はまた、第１蛍光インクの第１蛍光色（すなわち、この場合は緑色）と同一又はほぼ同一であるように選択される。同様に、第４蛍光インクによって生成された蛍光色はまた、第２蛍光インクの第２蛍光色（すなわち、この場合は赤色）と同一又はほぼ同一であるように選択される。
【００５７】
図６〜図１０の第２実施形態とほぼ同様に、図１４〜図１６の印刷セキュリティフィーチャ１＊＊＊は、（可視光下の）印刷セキュリティフィーチャの第１図形表示が第１二次元図形要素Ｇ（すなわち、数字記号「１」）を示すという事実によって特徴付けられ、第１二次元図形要素Ｇは、印刷セキュリティフィーチャが非可視光で照射された時に目に見えるようになる区別可能な二次元図形要素Ｈ（すなわち、数字記号「２」）と区別可能であり、第１二次元図形要素Ｇ及び区別可能な二次元図形要素Ｈは、セキュリティフィーチャ１＊＊＊の印刷範囲内で部分的に重なり合うように位置決めされ（図１５参照）、印刷範囲は図１４〜図１６において参照符号４００によって示される。区別可能な二次元図形要素Ｈの境界は、図１５及び図１６において破線で描かれ、かつ、参照符号４６０によって示される。図１４〜図１６の例では、第１二次元図形要素Ｇ及び区別可能な二次元図形要素Ｈは各々、同様に、認識可能な情報を提供する異なった形状（すなわち、図示した例では数字記号「１」及び「２」）を有しており、かつ、第１二次元図形要素Ｇ及び区別可能な二次元図形要素Ｈは、第１二次元図形要素と区別可能な二次元図形要素Ｈとの間の転換が、認識可能な情報の変化（すなわち、数字記号「１」と数字記号「２」との間の変化）をもたらすように設計される。
【００５８】
この変形例では、印刷範囲４００は、図１４及び図１５において参照符号４１０、４２０によって示される多数の平行の直線要素から構成される。直線要素４１０、４２０の幾何学的及び空間的配置は第２実施形態の直線要素２１０、２２０の幾何学的及び空間的配置と同一である。言い換えれば、多数の平行の直線要素４１０、４２０は、印刷範囲４００の第１ゾーン４０１に広がる第１セットの直線要素４１０と、印刷範囲４００の第２ゾーン４０２に広がる少なくとも第２セットの直線要素４２０と、を含む。直線要素の第１及び第２セット４１０、４２０は同様に、参照符号４５０によって示される印刷されない境界線によって同様に分離されるが、この境界線４５０は省略されてもよい。直線要素４１０、４２０の方向は第１実施形態の直線要素２１０、２２０の方向と同一であるが、これもやはり必須ではない。
【００５９】
第２実施形態とは対照的に、可視光によって照射された時に異なる光学的外観を有するインク、すなわち、一方では第１及び第２インク、他方では第３及び第４インクの使用によって、第１図形表示Ｇが強化される。より具体的には、第１ゾーン４０１は、第１及び第２インクを用いて印刷された直線要素４１０から構成される一方で、第２ゾーン４０２は、第３及び第４インクを用いて印刷された直線要素４２０から構成される。第１及び第２ゾーン４０１、４０２は、従って、第３及び第４インクと比較して第１及び第２インクの異なる光学的外観によって明確に区別可能である。
【００６０】
区別可能な二次元図形要素Ｈの境界４６０内の直線要素４１０の部分Ｐ３＊＊＊は、第１実施形態における第１及び第２インクの配合によって印刷される。同様に、区別可能な二次元図形要素Ｈの境界４６０の外側の直線要素４１０の部分Ｐ１＊＊＊、Ｐ２＊＊＊は第１インク及び第２インクのいずかによって印刷される（図示した例では、図形要素Ｈの上方に直線要素４１０の２つのさらなる部分があるということに留意されたい）。さらに、区別可能な二次元図形要素Ｈの境界４６０内の直線要素４２０の部分Ｐ６＊＊＊は、第３及び第４インクの配合によって印刷される。同様に、区別可能な二次元図形要素Ｆの境界４６０の外側の直線要素４２０の部分Ｐ４＊＊＊、Ｐ５＊＊＊は第３インク又は第４インクのいずれかによって印刷される。
【００６１】
境界４６０内で直線要素４１０、４２０は、図８Ａ〜図８Ｃを参照してすでに説明したのと同一の原理に沿って印刷されるが、直線要素４１０が、第１及び第２インクの配合によって印刷された第１及び第２並列セクションにさらに分割される一方で、直線要素４２０が、第３及び第４インクの配合によって印刷された第１及び第２並列セクションにさらに分割される点で相違する。再び、線幅ｗ及び線周波数に関する注釈を含む、前の実施形態に関連して上述したのと同一のルールが適用される。
【００６２】
この例では、例えば第１インクのみによって印刷された直線要素４１０の対応の部分Ｐ１＊＊＊とともに、図６〜図１０の実施形態と同様に非可視光（すなわち、紫外線）で照射された時に緑色の蛍光を発する左部分を共同で形成するために、境界４６０の外側の、印刷範囲４００の左側の直線要素４２０の部分（すなわち、部分Ｐ４＊＊＊）が第３インクのみによって印刷される。同様に、例えば第２インクのみによって印刷された直線要素４１０の対応の部分Ｐ２＊＊＊とともに、図６〜図１０の実施形態と同様に非可視光（すなわち、紫外線）で照射された時に赤色の蛍光を発する右部分を形成するために、境４６０の外側の、印刷範囲４００の右側の直線要素４２０の部分Ｐ５＊＊＊が第４インクのみによって印刷される。
【００６３】
区別可能な二次元図形要素Ｈの境界４６０内では、一方では第１及び第２インクの配合（部分Ｐ３＊＊＊内）、及び、他方では第３及び第４インクの配合（部分Ｐ６＊＊＊内）の両方が、蛍光緑色及び蛍光赤色の加法混色によって黄色の蛍光を発する数字記号「２」を形成する容易に認識可能な要素Ｈを形成する。
【００６４】
添付の特許請求の範囲によって定義される本発明の範囲から逸脱しない限りにおいて、上述した実施形態への様々な変更及び／又は改良が行われてもよい。
【００６５】
すでに述べたように、本発明の範囲内において、印刷範囲は、所定の空間周波数で印刷された多数の隣接する直線要素及び／又は曲線要素から構成されてもよい。本発明は、従って、印刷範囲が、多数の隣接する直線要素１１０、１２０、２１０、２２０のみから構成される場合の図示した例に限定されない。
【００６６】
さらに、並列セクションは、図３Ａ〜図３Ｂ又は図８Ａ〜図８Ｃに図示される直線要素及び／又は曲線要素の幅に沿って分割される隣接する線セクションであってもよく、又は、直線要素及び／又は曲線要素の長さに沿って分割される一連の隣接する線セクションであってもよい。
【００６７】
上述の実施形態では全てのインクが蛍光インクである。しかしながら、図１〜図１０の実施形態に関連して１つのみの蛍光インクが（第１インク又は第２インクとして）用いられ得ることが理解されよう。同様に、同一の又はほぼ同一の蛍光色を生成する２つのみの蛍光インクが図１１〜図１６の実施形態に関連して（第１及び第３インク又は第２及び第４インクとして）用いられ得ることが理解されよう。さらに、蛍光インクは、例えば紫外線、近赤外線励起、又は、可視スペクトルの外側の任意の他の適切な励起などの任意の適切な非可視光励起に反応するものであってもよい。
【符号の説明】
【００６８】
１        印刷セキュリティフィーチャ（第１実施形態−図１〜図５）
１００    印刷範囲（第１実施形態）
１０１    印刷範囲１００の第１ゾーン／図１の印刷範囲１００の上縁から下向きの三角形エリア
１０２    印刷範囲１００の第２ゾーン／図１の三角形エリア１０１の両側に配置された三角形エリア
Ａ        印刷セキュリティフィーチャ１が白色可視光で照射された時に目に見える（第１）二次元図形要素（例えば下向きの三角形状）（図１）
Ｂ        印刷セキュリティフィーチャ１が非可視光で照射された時に目に見えるようになる（第２）区別可能な二次元図形要素（例えば上向きの三角形状）（図４、図５）
１１０    隣接する直線（及び／曲線）要素／第１ゾーン１０１に広がる平行の直線要素／第１（例えば垂直）方向に沿って延在する線
１１０ａ  特徴的な光学応答を生成することによって非可視光励起に反応する第１インク／例えば、非可視光励起（例えば紫外線励起）を受けた時に（第１）蛍光（例えば緑）色を生成する（第１）蛍光インクによって印刷された区別可能な二次元図形要素Ｂの境界１６０の内側の直線要素１１０の第１（並列）セクション
１１０ｂ  第２インク／例えば、非可視光励起（例えば紫外線励起）を受けた時に（第２）蛍光（例えば赤）色を生成する（第２）蛍光インクによって印刷された区別可能な二次元図形要素Ｂの境界１６０の内側の直線要素１１０の第２（並列）セクション
１２０    隣接する直線（及び／又は曲線）要素／第２ゾーン１０２に広がる平行の直線要素／第２（例えば水平）方向に沿って延在する線
１２０ａ  区別可能な二次元図形要素Ｂの境界１６０の内側の、第１インク（１１０ａと同一のインク）によって印刷された直線要素１２０の第１（並列）セクション
１２０ｂ  区別可能な二次元図形要素Ｂの境界１６０の内側の、第２インク（１１０ｂと同一のインク）によって印刷された直線要素１２０の第２（並列）セクション
１５０    第１及び第２ゾーン１０１、１０２の間の印刷されない境界線
１６０    二次元図形要素Ｂの境界（白色可視光で照射された時には目に見えない）
Ｐ１      第１（蛍光）インクのみによって印刷された要素１１０、１２０の部分
Ｐ２      第２（蛍光）インクのみによって印刷された要素１１０、１２０の部分
Ｐ３      第１及び第２（蛍光）インクの配合によって印刷された要素１１０、１２０の部分
１＊      印刷セキュリティフィーチャ（第２実施形態−図６〜図１０）
２００    印刷範囲（第２実施形態）
２０１    印刷範囲２００の第１ゾーン／図６の数字記号「１」を形成するエリア
２０２    印刷範囲２００の第２ゾーン／図６の数字記号「１」を囲む背景エリア
Ｃ        印刷セキュリティフィーチャ１＊が白色可視光で照射された時に目に見える（第１）二次元図形要素（例えば数字記号「１」）（図６）
Ｄ        印刷セキュリティフィーチャ１＊が非可視光で照射された時に目に見えるようになる（第２）区別可能な二次元図形要素（例えば数字記号「２」）（図９、図１０）
２１０    隣接する直線（及び／又は曲線）要素／第１ゾーン２０１に広がる平行の直線要素／第１（例えば垂直）方向に沿って延在する線
２１０ａ  特徴的な光学応答を生成することによって非可視光励起に反応する第１インク／例えば非可視光励起（例えば紫外線励起）を受けた時に（第１）蛍光（例えば緑）色を生成する（第１）蛍光インクによって印刷された区別可能な二次元図形要素Ｄの境界２６０の内側の直線要素２１０の第１（並列）セクション
２１０ｂ  第２インク／例えば非可視光励起（例えば紫外線励起）を受けた時に（第２）蛍光（例えば赤）色を生成する（第２）蛍光インクによって印刷された区別可能な二次元図形要素Ｄの境界２６０の内側の直線要素２１０の第２（並列）セクション
２２０    隣接する直線（及び／又は曲線）要素／第２ゾーン２０２に広がる平行の直線要素／第２（例えば水平）方向に沿って延在する線
２２０ａ  区別可能な二次元図形要素Ｄの境界２６０の内側の、第１インク（２１０ａと同一のインク）によって印刷された直線要素２２０の第１（並列）セクション
２２０ｂ  区別可能な二次元図形要素Ｄの境界２６０の内側の、第２インク（２１０ｂと同一のインク）によって印刷された直線要素２２０の第２（並列）セクション
２５０    第１及び第２ゾーン２０１、２０２の間の印刷されない境界線
２６０    二次元図形要素Ｄの境界（白色可視光で照射された時には目に見えない）
Ｐ１＊    第１（蛍光）インクのみによって印刷された要素２１０、２２０の部分
Ｐ２＊    第２（蛍光）インクのみによって印刷された要素２１０、２２０の部分
Ｐ３＊    第１及び第２（蛍光）インクの配合によって印刷された要素２１０、２２０の部分
ｗ        直線要素１１０、１２０、２１０、２２０の線幅／第１及び第２並列セクション１１０ａ＋１１０ｂ、１２０ａ＋１２０ｂ、２１０ａ＋２１０ｂ及び２２０ａ＋２２０ｂの結合線幅
１＊＊      印刷セキュリティフィーチャ（第１実施形態の変形例−図１１〜図１３）
３００    印刷範囲（第１実施形態の変形例）
３０１    印刷範囲３００の第１ゾーン／図１１の印刷範囲３００の上縁から下向きの三角形エリア
３０２    印刷範囲３００の第２ゾーン／図１１の三角形エリア３０１の両側に配置された三角形エリア
Ｅ        印刷セキュリティフィーチャ１＊＊が白色可視光で照射された時に目に見える（第１）二次元図形要素（例えば下向きの三角形状）（図１１）
Ｆ        印刷セキュリティフィーチャ１＊＊が非可視光で照射された時に目に見えるようになる（第２）区別可能な二次元図形要素（例えば上向きの三角形状）（図１３）
３１０    隣接する直線（及び／又は曲線）要素／第１ゾーン３０１に広がる平行の直線要素／第１（例えば垂直）方向に沿って延在する線
３２０    隣接する直線（及び／又は曲線）要素／第２ゾーン３０２に広がる平行の直線要素／第２（例えば水平）方向に沿って延在する線
３５０    第１及び第２ゾーン３０１、３０２の間の印刷されない境界線
３６０    二次元図形要素Ｆの境界（白色可視光で照射された時には目に見えない）
Ｐ１＊＊    第１（蛍光）インクのみによって印刷された要素３１０の部分
Ｐ２＊＊    第２（蛍光）インクのみによって印刷された要素３１０の部分
Ｐ３＊＊    第１及び第２（蛍光）インクの配合によって印刷された要素３１０の部分
Ｐ４＊＊    第３（蛍光）インクのみによって印刷された要素３２０の部分
Ｐ５＊＊    第４（蛍光）インクのみによって印刷された要素３２０の部分
Ｐ６＊＊    第３及び第４（蛍光）インクの配合によって印刷された要素３２０の部分
１＊＊＊    印刷セキュリティフィーチャ（第２実施形態の変形例−図１４〜図１６）
４００    印刷範囲（第２実施形態の変形例）
４０１    印刷範囲４００の第１ゾーン／図１４の数字記号「１」を形成するエリア
４０２    印刷範囲４００の第２ゾーン／図１４の数字記号「１」を取り囲む背景エリア
Ｇ        印刷セキュリティフィーチャ１＊＊＊が白色可視光で照射された時に目に見える（第１）二次元図形要素（例えば数字記号「１」）（図１１）
Ｈ        印刷セキュリティフィーチャ１＊＊＊が非可視光で照射された時に目に見えるようになる（第２）区別可能な二次元図形要素（例えば数字記号「２」）（図１６）
４１０    隣接する直線（及び／又は曲線）要素／第１ゾーン４０１に広がる平行の直線要素／第１（例えば垂直）方向に沿って延在する線
４２０    隣接する直線（及び／又は曲線）要素／第２ゾーン４０１に広がる平行の直線要素／第２（例えば水平）方向に沿って延在する線
４５０    第１及び第２ゾーン４０１、４０２の間の印刷されない境界線
４６０    二次元図形要素Ｈの境界（白色可視光で照射された時には目に見えない）
Ｐ１＊＊＊  第１（蛍光）インクのみによって印刷された要素４１０の部分
Ｐ２＊＊＊  第２（蛍光）インクのみによって印刷された要素４１０の部分
Ｐ３＊＊＊  第１及び第２（蛍光）インクの配合によって印刷された要素４１０の部分
Ｐ４＊＊＊  第３（蛍光）インクのみによって印刷された要素４２０の部分
Ｐ５＊＊＊  第４（蛍光）インクのみによって印刷された要素４２０の部分
Ｐ６＊＊  第３及び第４（蛍光）インクの配合によって印刷された要素４２０の部分
【図１】
0006265512.tif 000002
【図２】
0006265512.tif 000003
【図３Ａ】
0006265512.tif 000004
【図３Ｂ】
0006265512.tif 000005
【図４】
0006265512.tif 000006
【図５】
0006265512.tif 000007
【図６】
0006265512.tif 000008
【図７】
0006265512.tif 000009
【図８Ａ】
0006265512.tif 000010
【図８Ｂ】
0006265512.tif 000011
【図８Ｃ】
0006265512.tif 000012
【図９】
0006265512.tif 000013
【図１０】
0006265512.tif 000014
【図１１】
0006265512.tif 000015
【図１２】
0006265512.tif 000016
【図１３】
0006265512.tif 000017
【図１４】
0006265512.tif 000018
【図１５】
0006265512.tif 000019
【図１６】
0006265512.tif 000020